(57)【要約】【課題】高い保温性を持ちながら、着用時に肌の色が透けて見える感じを実現する。【解決手段】裏側生地は、肌色とされるとともに裏起毛加工が施されている。表側生地は、裏側生地の色よりも濃い色の糸で編まれ、着用時に編み目が開くように構成されている。【選択図】図３
2019189963.tif 000002
【特許請求の範囲】
【請求項１】
下半身に着用される伸縮性を有する下半身用衣類において、
肌密着側に配置される裏側生地と、
前記裏側生地の表側に配置される表側生地とを備え、
前記裏側生地は肌色とされるとともに裏起毛加工が施され、
前記表側生地は前記裏側生地の色よりも濃い色の糸からなり、着用時に編み目が開くように構成されていることを特徴とする下半身用衣類。
【請求項２】
請求項１に記載の下半身用衣類において、
前記表側生地と前記裏側生地とは接着または縫い合わされていることを特徴とする下半身用衣類。
【請求項３】
請求項１または２に記載の下半身用衣類において、
少なくとも足首から膝上までを覆うように形成されていることを特徴とする下半身用衣類。
【請求項４】
請求項１から３のいずれか１つに記載の下半身用衣類において、
少なくとも足首から大腿部を覆うように形成されたレッグ部と、臀部及び下腹部を覆うように形成されたパンティ部とが一体に構成されていることを特徴とする下半身用衣類。
【請求項５】
請求項１から４のいずれか１つに記載の下半身用衣類において、
前記表側生地は、オックス生地であることを特徴とする下半身用衣類。
【請求項６】
請求項１から５のいずれか１つに記載の下半身用衣類において、
前記表側生地は着色されていることを特徴とする下半身用衣類。
【発明の詳細な説明】
【技術分野】
【０００１】
本発明は、下半身用衣類に関するものである。
【背景技術】
【０００２】
従来より、下半身用衣類として、例えばタイツ、ストッキング、レギンス、トレンカ、レッグウォーマー等がある。特許文献１に開示されているツインペアタイツは、伸縮性を有する厚手の生地により足首部から膝上部までを形成し、伸縮性を有する薄手の生地により膝上部からパンティ部までを形成しており、これらを縫着することによって構成されている。特許文献１のツインペアタイツの編地基層からは多数のパイルが肌密着側へ突出するとともに、これらパイルのループ状頂部は起毛加工されており、これによりツインペアタイツは裏起毛となっている。
【０００３】
また、特許文献２に開示されているタイツは、カバリング糸のみでゾッキ編みしたものである。タイツの肌密着側の編地は、毛羽立つように、または、緻密なパイルが発生するように表面加工されており、具体的には、起毛機等を用いて編地を毛羽立たせる、いわゆる起毛加工が施されている。
【先行技術文献】
【特許文献】
【０００４】
【特許文献１】特開平１１−１８０１号公報
【特許文献２】特開２０１３−１８５２６６号公報
【発明の概要】
【発明が解決しようとする課題】
【０００５】
特許文献１、２のように、タイツの肌密着側を起毛加工することによって裏起毛のタイツとすることができる。裏起毛のタイツは、一般的に柔らかい質感で肌触りが良く、しかも、保温性に優れているので着用時に暖かいという特徴があり、特に冬季の着用に適している。この点については、ストッキング、レギンス、トレンカ、レッグウォーマー等も同様である。
【０００６】
ところで、裏起毛タイプのタイツは裏起毛層を形成する分、生地が厚くなるので、着用時に着用者の肌は外から殆ど見えなくなり、薄手のストッキングを素肌に着用したときのような肌の色が透けて見える感じ（透け感）がない。透け感を出すためには、肌が透けるまで裏起毛層を薄くする必要があるが、そのような薄い裏起毛層を形成することは実際には困難であるとともに、保温性の低下を招き、冬季の着用に不適となる。つまり、裏起毛の形成によって防寒性及び暖かさを重視する場合には、着用時にタイツの色のみが表に現れる色になり、肌の透け感を得ることができなかった。
【０００７】
特に女性の場合、例えば上半身に着用する衣服との相性や、いわゆるおしゃれ感を演出する等の理由から、冬季であっても透け感のあるストッキングを着用して肌の色が透けて見える感じを出したいという要求があった。また、近年では、冬季であっても短いスカートを着用するファッションが定着しつつあり、脚の露出度は高まっている。
【０００８】
本発明は、かかる点に鑑みてなされたものであり、その目的とするところは、高い保温性を持ちながら、着用時に肌の色が透けて見える感じを実現することにある。
【課題を解決するための手段】
【０００９】
上記目的を達成するために、本発明では、裏起毛加工が施された肌色の裏側生地と、従来のストッキングのような肌色よりも濃い色の表側生地とを備える構成とした。
【００１０】
第１の発明は、下半身に着用される伸縮性を有する下半身用衣類において、肌密着側に配置される裏側生地と、前記裏側生地の表側に配置される表側生地とを備え、前記裏側生地は肌色とされるとともに裏起毛加工が施され、前記表側生地は前記裏側生地の色よりも濃い色の糸からなり、着用時に編み目が開くように構成されていることを特徴とする。
【００１１】
この構成によれば、着用時には、裏側生地の裏起毛加工が施された部分が肌に密着することになるので、柔らかい質感で肌触りが良く、しかも、高い保温性が得られ、着用者が暖かさを感じる。一方、表側生地は着用時にその編み目が開くので、編み目から裏側生地が見える。裏側生地は肌色とされているので、着用者の肌の色ではないが、濃い表側生地に透けるように裏側生地の肌色が見えることになり、これにより、薄手のストッキングを素肌に着用したときのような肌の色が透けて見える感じが得られる。このとき、表側生地の編み目の大きさによって肌の透け感が得られるので、裏側生地の厚みは肌の透け感とは関係がない。よって、裏側生地の厚みを、防寒性が十分に得られる厚みとすることが可能になる。
【００１２】
第２の発明は、前記表側生地と前記裏側生地とは接着または縫い合わされていることを特徴とする。
【００１３】
この構成によれば、表側生地と裏側生地とが一体化されて着用しやすくなるとともに、表側生地と裏側生地との相対的なズレが抑制される。表側生地と裏側生地とを接着する場合には、従来から周知の生地用の接着剤を使用することができる。
【００１４】
第３の発明は、少なくとも足首から膝上までを覆うように形成されていることを特徴とする。
【００１５】
この構成によれば、例えばスカートの着用時に露出する機会の多い足首から膝上までの防寒性を高めることができるとともに、少なくともその範囲で肌の透け感を得ることができる。
【００１６】
第４の発明は、少なくとも足首から大腿部を覆うように形成されたレッグ部と、臀部及び下腹部を覆うように形成されたパンティ部とが一体に構成されていることを特徴とする。
【００１７】
この構成によれば、足首から大腿部までをレッグ部で覆い、臀部及び下腹部をパンティ部で覆うことができるので、防寒性がより一層高まる。また、パンティ部を有していることで、レッグ部のズレ落ちを抑制することができる。
【００１８】
第５の発明は、前記表側生地は、オックス生地であることを特徴とする。
【００１９】
この構成によれば、オックス生地を用いることで一般的なストッキングより丈夫になる。
【００２０】
第６の発明は、前記表側生地は着色されていることを特徴とする。
【００２１】
すなわち、表側生地が黒色に着色されている場合には、従来の黒色のストッキングを着用したときのような肌の透け感が得られ、また、表側生地が灰色に着色されている場合には、従来の灰色のストッキングを着用したときのような肌の透け感が得られる。
【発明の効果】
【００２２】
本発明によれば、裏起毛加工が施された肌色の裏側生地と、濃い色の表側生地とを備えているので、着用時に裏側生地によって高い保温性を得ながら、肌の色が透けて見える感じを実現することができる。
【図面の簡単な説明】
【００２３】
【図１】本発明の実施形態に係る下半身用衣類を正面から見た図である。
【図２】着用した状態の下半身用衣類を正面から見た図である。
【図３】着用した状態の下半身用衣類の一部を拡大して示す図である。
【図４】実施形態の変形例１に係る図１相当図である。
【図５】実施形態の変形例２に係る図１相当図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は、本発明の実施形態に係る下半身用衣類１を正面から見た図である。この下半身用衣類１は、下半身に着用される伸縮性を有する衣類であり、腰から脚を包むように構成されたタイツとすることができる。下半身用衣類１は、着用者の肌に密着するように作られ、主に女性が着用する女性用衣類である。ハイウエストタイプとすることで、腹及びその周辺を暖かくできる。また、着圧タイプのタイツとすることもでき、この場合、腹周りを引き締めることもできる。
【００２６】
図２に示すように、下半身衣類１は、着用者Ａの足首Ａ１から大腿部までを覆うように形成されたレッグ部１０と、着用者Ａの臀部及び下腹部を覆うように形成されたパンティ部１１とが一体に構成されたものである。レッグ部１０は右脚用と左脚用とがある。各レッグ部１０は、全体として、想定される着用者の脚の径よりも小径の筒状に形成された部分であり、左右同じにすることができる。各レッグ部１０を得る場合には、従来から周知ように、糸を筒状に編むことが可能な編み機を使用すればよい。レッグ部１０は、ソックス部を有しておらず、足首Ａ１よりも下が露出するタイプである。
【００２７】
パンティ部１１は、着用者の臀部から側方を周り込み、下腹部までを全周に亘って包み込むことができる筒状に形成されている。パンティ部１１は、レッグ部１０と連続して編成することができる。この場合、従来から周知の編み機を使用し、糸をレッグ部１０からパンティ部１１まで連続して編むことによって実現できる。
【００２８】
また、パンティ部１１とレッグ部１０とを別々に形成しておき、その後、パンティ部１１の下端部とレッグ部１０の上端部とを縫い合わせることによって両者を一体に構成することができる。パンティ部１１は、後述する生地を、立体形状を再現できるように裁断しておき、裁断縁同士をつき合わせて縫い合わせることによって形成することもできる。パンティ部１１の上部には、伸縮性を有するように編成されたゴム編み部１１ａが設けられている。ゴム編み部１１ａの幅は広く設定されており、これにより、巻き返りが起こり難くなる。
【００２９】
図３に示すように、下半身用衣類１は、肌密着側に配置される裏側生地１３と、裏側生地１２の表側に配置される表側生地１４とを備えている。表側生地１４と裏側生地１３とは縫い合わされていてもよいし、従来から周知の生地用の接着剤によって接着されていてもよい。接着剤は、表側生地１４と裏側生地１３の素材によって適切なものを使用することができる。また、接着する際には、部分的に接着すればよい。
【００３０】
表側生地１４は、レッグ部１０の下端部からパンティ部１１の上端部まで連続するようになっている。この場合、下半身用衣類１は、全体が二重構造になる。また、裏側生地１３は、表側生地１４の裏側において全体に設けられていてもよいし、ゴム編み部１１ａを除いた部分に設けられていてもよい。ゴム編み部１１ａを除いた部分に設けられている場合、下半身用衣類１は、一部を除いて二重構造になる。
【００３１】
図３は、着用者が着用した状態の下半身用衣類１の一部を拡大して示す図であり、下半身用衣類１を外側（表側生地１４側）から見ている。裏側生地１３は、糸を編むことによってできた伸縮性を有する生地であり、伸縮性を持った糸（弾性糸）を利用して裏側生地１３に伸縮性を持たせてもよいし、糸の編み方によって裏側生地１３に伸縮性を持たせてもよい。生地に伸縮性を持たせる手法は従来から周知であるため、詳細な説明は省略する。糸の素材としては天然繊維であってもよいし、合成繊維であってもよく、例えば綿、ウール（羊毛）、テトロン、ポリウレタン弾性糸、ウーリーナイロン糸、ポリウレタン弾性糸を芯糸とし、これを綿やナイロン等で被覆した糸等を挙げることができる。糸の編み方は、例えば、丸編み、メッシュ編み、タック編み等を挙げることができる。裏側生地１３は、表側生地１４に比べて吸湿性に優れた生地を使用するのが好ましい。また、裏側生地１３は、表側生地１４に比べて厚手の生地である。
【００３２】
裏側生地１３は肌色であり、例えばベージュのような色にすることができる。裏側生地１３を肌色にする方法としては、裏側生地１３を構成する糸を、肌色に着色された糸とする方法がある。肌色とは、人の肌の色であり、日本人であれば、やや赤みを含む淡黄色とすることができる。色白の人の肌の色や、色黒の人の肌の色も、色味は若干異なるが肌色ということができる。
【００３３】
裏側生地１３の裏側は起毛されている。すなわち、裏側生地１３には裏起毛加工が施されており、裏起毛加工方法としては、例えば起毛機を使用して裏側生地１３の繊維をかきたてて毛羽立たせる方法や、緻密なパイルを形成する方法等があり、いずれの方法であってもよい。このような起毛加工を施すことで生地のボリュームが増し、空気を多く含むことができ、保温性が高くなる。
【００３４】
図３に示すように、表側生地１４は、裏側生地１３の色よりも濃い色の糸１４ａで編まれ、着用時に編み目１４ｂが開くように構成されている。表側生地１４は、裏側生地１３と同様に伸縮性を有する生地であるが、裏側生地１３よりも薄手であり、例えばオックス生地とすることができるが、これに限られるものではない。糸１４ａは、裏側生地１３の糸と同様に、天然繊維であってもよいし、合成繊維であってもよく、例えば、ナイロン、綿、ポリエステル、テトロン、スパンデックス（ポリウレタン）等を挙げることができる。裏側生地１３に伸縮性を持たせる方法は、糸１４ａ自体の伸縮性を利用してもよいし、編み方による伸縮性を利用してもよい。
【００３５】
裏側生地１３が伸縮性を持っていることで、非着用時には編み目１４ｂが小さいか、殆ど消失する一方、着用時に伸ばされることによって編み目１４ｂが非着用時に比べて大きくなり、これにより、編み目１４ｂから裏側生地１３の一部が表側に覗くことになる。非着用時には、裏側生地１３が表側から見えないか、殆ど見えない状態になる。表側生地１４の色は、糸１４ａを所望の色に着色することによって得ることができ、例えば、黒色、肌色よりも濃い灰色、肌色よりも濃い茶色等とすることができる。
【００３６】
次に、下半身用衣類１の着用時について説明する。図２に示すように、下半身用衣類１を着用すると、裏側生地１３における起毛処理が施された部分が肌に接触することになるので、着用者は柔らかい質感を感じることになるとともに、良好な肌触りを感じることになる。しかも、起毛処理が施されていることで、高い保温性が得られ、着用者が暖かさも感じる。着用時には、表側生地１４と裏側生地１３とが一体化されて着用しやすく、表側生地１４と裏側生地１３との相対的なズレを抑制することができる。
【００３７】
表側生地１４は、図３に示すように着用時に編み目１４ｂが開くので、その編み目１４ｂから裏側生地１３の一部が見える。裏側生地１３は肌色とされているので、着用者の肌の色ではないが、濃い表側生地１４に透けるように裏側生地１３の肌色が見えることになり、これにより、薄手のストッキングを素肌に着用したときのような肌の色が透けて見える感じが得られる。このとき、表側生地１４の編み目１４ｂの大きさによって肌の透け感が得られるので、裏側生地１３の厚みは肌の透け感とは関係がない。よって、裏側生地１３の厚みを、防寒性が十分に得られる厚みとすることが可能になる。
【００３８】
（その他の実施形態）
上述の実施形態はあらゆる点で単なる例示に過ぎず、限定的に解釈してはならない。さらに、特許請求の範囲の均等範囲に属する変形や変更は、全て本発明の範囲内のものである。
【００３９】
例えば図４に示す実施形態の変形例１のように、各レッグ部１０の下端部に爪先までを覆う袋部１５を設けてもよい。袋部１５は、いわゆるソックスのように爪先、足裏、踵、足の甲を覆うように形成されており、周知の手段により形成することができる。袋部１５は、表側生地１４のみで形成してもよいし、表側生地１４と裏側生地１３とで形成してもよい。
【００４０】
また、図５に示す実施形態の変形例２のように、各レッグ部１０の下端部に足先を通して引っ掛けるための輪状の引っ掛け部１６を設けてもよい。引っ掛け部１６は、足の土踏まずまたはその近傍に引っ掛かる形状であり、周知の手段により形成することができる。引っ掛け部１６は、表側生地１４のみで形成してもよいし、表側生地１４と裏側生地１３とで形成してもよい。
【００４１】
また、上記実施形態では、下半身用衣類１が、パンティ部１１を含んだタイツである場合について説明したが、これに限らず、パンティ部１１が無く、左右のレッグ部１０のみからなる下半身用衣類１であってもよい。また、下半身用衣類１は、例えば、ストッキング、レギンス、トレンカ、レッグウォーマー等であってもよい。レギンス、トレンカ、レッグウォーマーの場合、長さは特に限定されるものではなく、長めのものであってもよいし、短めのものであってもよい。
【産業上の利用可能性】
【００４２】
以上説明したように、本発明に係る下半身用衣類は、例えば、タイツ、ストッキング、レギンス、トレンカ、レッグウォーマー等として使用することができる。
【符号の説明】
【００４３】
１          下半身用衣類
１０        レッグ部
１１        パンティ部
１３        裏側生地
１４        表側生地
１４ｂ      編み目
【図１】
2019189963.tif 000003
【図２】
2019189963.tif 000004
【図３】
2019189963.tif 000005
【図４】
2019189963.tif 000006
【図５】
2019189963.tif 000007